(57)【特許請求の範囲】
【請求項１】
底部（１）と、この底部の縁部から立ち上がる前側部（２）及び後側部（３）と、前記前後側部（２，３）上端にある開閉部（４）を有するカバンであって、
前記カバンの左右両端（９）において、前記前側部（２）と前記後側部（３）をまたぐ位置にポケット部（７）が形成されており、このポケット部に前記開閉部（４）を広げる方向に付勢されたテープ状又はシート状の非金属製バネ（８）が挿入されており、この非金属製バネ（８）が、頻繁な屈曲に耐えられる板部材（８１）と、この板部材（８１）とほぼ等しい幅をカバーするテープ状又はシート状のゴム紐（８２）からなり、それぞれの端部（８３）が縫着されているものである
ことを特徴とするカバン。
【請求項２】
底部（１Ｂ）と、この底部の縁部から立ち上がる前後側部（２Ｂ，３Ｂ）と、前記前後側部をつなぐマチ部（１０）と、前記前後側部（２Ｂ，３Ｂ）上端にある開閉部（４B）を有するカバンであって、
前記カバンの左右両端（９Ｂ）において、前記前後側部（２Ｂ，３Ｂ）と前記マチ部（１０）をまたぐ位置にポケット部（７Ｂ）が形成されており、このポケット部に前記開閉部（４Ｂ）を広げる方向に付勢されたテープ状又はシート状の非金属製バネ（８Ｂ）が挿入されており、この非金属製バネ（８Ｂ）が、頻繁な屈曲に耐えられる板部材（８１）と、この板部材（８１）とほぼ等しい幅をカバーするテープ状又はシート状のゴム紐（８２）からなり、それぞれの端部（８３）が縫着されているものである
ことを特徴とするカバン。
【請求項３】
さらに底部（１Ａ）と側部（２Ａ，３Ａ）をまたぐ位置においてポケット部（７Ａ）が形成されており、このポケット部に前記底部と前記側部の角度を広げる方向に付勢されたテープ状又はシート状の非金属製バネ（８Ａ）が挿入されており、この非金属製バネ（８Ｂ）が、頻繁な屈曲に耐えられる板部材（８１）と、この板部材（８１）とほぼ等しい幅をカバーするテープ状又はシート状のゴム紐（８２）からなり、それぞれの端部（８３）が縫着されているものである請求項１又は２記載のカバン。
【請求項４】
前記テープ状又はシート状のゴム紐（８２）が外側に位置するように前記板部材（８１）を折り曲げ、前記テープ状又はシート状のゴム紐（８２）の弾力性により前記板部材（８１）の折り曲げが解消する方向に付勢されるようにして使用するものである請求項１ないし３のいずれかに記載のカバン。
【請求項５】
頻繁な屈曲に耐えられる板部材（８１）が、天然又は人工の皮革、プラスチック板、厚紙のいずれかである請求項１ないし４のいずれかに記載のカバン。
【請求項６】
前記テープ状又はシート状のゴム紐（８２）が１本のものである請求項１ないし５のいずれかに記載のカバン。
【請求項７】
前記テープ状又はシート状のゴム紐（８２）がゴム紐を複数本使用するものである請求項１ないし５のいずれかに記載のカバン。
【請求項８】
前記テープ状又はシート状の非金属製バネ（８，８Ａ，８Ｂ）の幅が１０〜１００ｍｍである請求項１ないし７のいずれかに記載のカバン。
【発明の詳細な説明】
【技術分野】
【０００１】
本発明は、カバンに関し、特に、開閉部を開けて開口したときに自動的に開口部が拡張すると共に、その拡張した開口が保持されることにより、物の出し入れが容易となるカバンに関する。
【背景技術】
【０００２】
通常のカバンであれば、開閉部（普通、スライドファスナが取り付けられている）を開けたあと、物の出し入れをするために意識的に開閉部を手で大きく開かなければならない。このようなとき、開閉部が自動的に拡張すれば、両手が自由となり、物の出し入れが一層楽になる。下記特許文献１〜６の発明・考案はそのような自動拡張式カバンを提案している。
【０００３】
特許文献１の考案は、バッグの胴部の上方部分に、ファスナに近接して２本の屈曲桿を取り付けているので、開口部を開いたとき、胴部の上方部分とほぼ同じ大きさに開口する。
【０００４】
特許文献２の発明は、バッグ底面部にバネ体を設けて、屈曲中心線に向けられた側を上方にして傾斜させるようにしているので、開口部を全体として大きく開き出すことができる。
【０００５】
特許文献３の発明は、バッグのパイピン内にバネ部材を収容させると共に、このバネ部材により開口部が全開となる方向に前・後面部の上端部が付勢してある。
【０００６】
特許文献４の発明は、バッグ本体の前後両側面上端部に、上部開口部の開口縁に沿ってコイルスプリングを縫着している。
【０００７】
特許文献５の発明は、バッグの左右両側部のいずれか又は両方において、バネ部材をその一端が前面部側に位置し、他端が後面部側に位置するように配置することにより、開口部が前後方向に開くように付勢している。
【０００８】
特許文献６の考案は、バッグのマチ内接板が弾性により復元して展開することにより、バッグ本体の開口状態を維持しやすくしている。
【特許文献１】実公昭５８−３５０５３号
【特許文献２】特開２００４−３３４８９
【特許文献３】特開２００４−８９３１３
【特許文献４】特開２００４−１２９７３４
【特許文献５】特開２００５−１３７７５８
【特許文献６】実用新案登録第３０７３６８８号
【発明の開示】
【発明が解決しようとする課題】
【０００９】
従来技術は、要するに、バネ部材、屈曲桿、マチ内接板等を設定して、開口部が大きく開くようにしている。バネ部材として実施例に図示されたものは、Ｕ字状、コの字状、コイル状、等の針金バネである。これらの針金バネは屈伸を繰り返すたびに両端部がパイピンやバネ収容部の中で移動し、長期間使用するうちに、パイピンやポケット部を突き破ってしまうことがある。
【００１０】
本発明はこの問題を解決するために行われたもので、針金バネを使用せず、バネ収容部を破壊しない新たなバネを使用した自動開口拡張式のカバンを提供することを目的とする。
【課題を解決するための手段】
【００１１】
本発明のカバンは、（マチ部のないカバンの場合）、底部と、この底部の縁部から立ち上がる前側部及び後側部と、前記前後側部上端にある開閉部を有するカバンであって、前記カバンの左右両端において、前記前側部と前記後側部をまたぐ位置にポケット部が形成されており、このポケット部に前記開閉部を広げる方向に付勢されたテープ状又はシート状の非金属製バネが挿入されており、この非金属製バネが、頻繁な屈曲に耐えられる板部材と、この板部材とほぼ等しい幅をカバーするテープ状又はシート状のゴム紐からなり、それぞれの端部が縫着されているものであることを特徴とする。
【００１２】
本発明のカバンは、（マチ部のあるカバンの場合）、底部と、この底部の縁部から立ち上がる前後側部と、前記前後側部をつなぐマチ部と、前記前後側部上端にある開閉部を有するカバンであって、前記カバンの左右両端において、前記前後側部と前記マチ部をまたぐ位置にポケット部が形成されており、このポケット部に前記開閉部を広げる方向に付勢されたテープ状又はシート状の非金属製バネが挿入されており、この非金属製バネが、頻繁な屈曲に耐えられる板部材と、この板部材とほぼ等しい幅をカバーするテープ状又はシート状のゴム紐からなり、それぞれの端部が縫着されているものであることを特徴とする。
【発明の効果】
【００１３】
本発明においてカバンの左右両端にとりつけるバネはテープ状又はシート状の非金属製のバネであるので、従来技術の針金バネと異なり、長期間使用してもポケット部を突き破るようなことはない。
【発明を実施するための最良の形態】
【００１４】
本発明で使用するテープ状又はシート状の非金属製バネとしては、頻繁な屈曲に耐えられる板部材と、この板部材とほぼ等しいか又はやや狭い幅（板部材の７０−１００％）をカバーするテープ状又はシート状のゴム紐からなり、それぞれの端部が縫着されているものを使用するのが好ましい。実際にカバンの中に収容するときには、テープ状又はシート状のゴム紐が外側に位置するように板部材を折り曲げ、ゴムの弾力性により板部材の折り曲げが解消する方向に付勢されるようにして使用する。
【００１５】
頻繁な屈曲に耐えられる板部材としては、例えば、天然又は人工の皮革、プラスチック板、厚紙を使用することができる。ゴム紐は１本でテープ状又はシート状とすることもできるが、狭幅のゴム紐を複数本使用することもできる。本明細書では狭幅のゴム紐を複数本使用する場合も「テープ状又はシート状のゴム紐」に含めるものとする。
【００１６】
テープ状又はシート状の非金属製バネとしてはさらに、敷き板に対して垂直方向に固定された、少なくとも１本の湾曲可能な合成樹脂板であって、この合成樹脂板をＵ字型に湾曲させたものとすることもできる。そのような合成樹脂板としては「ベルポーレン」という商標で知られる発泡ポリエチレン製シートが好ましい。合成樹脂板は２枚以上使用することもできる。
【００１７】
ここでバネが「テープ状又はシート状」であるとは、カバンの大きさに応じて変化する相対的なものであるが、本発明の目的から見て、あまりに細くては改良したことにならないので、少なくとも幅が１０ｍｍ程度は必要である。上限はカバンのサイズによるが、１００ｍｍ程度を考えておけばよい。通常の旅行鞄程度であれば、２０〜５０ｍｍ程度が好ましい。
【００１８】
バネの長さもカバンの大きさに応じて変化する相対的なものである。通常、1００〜２００ｍｍ必要である。前記した敷き板をまたぐ合成樹脂板の場合は、２００〜５００ｍｍ程度必要になることもある。
【００１９】
テープ状又はシート状の非金属製バネを取り付ける位置は、（１）（マチ部のないカバンのとき）カバンの左右両端において前後側部をまたぐ位置、（２）（マチ部のあるカバンのとき）カバンの左右両端において側部とマチ部をまたぐ位置、の何れかであって、カバンの内外生地の隙間に形成されたポケット部の中である。さらに、（３）底部と側部をまたぐ位置にも同様にして併設することが好ましい。カバンの左右両端の上端であることが、直接開閉部を拡張させる点で、好ましい。
【実施例１】
【００２０】
以下、添付の図面に基づき、本発明の実施例を説明する。
【００２１】
図１は、本発明の１実施例に係るカバンの閉鎖状態の斜視図である。図２は、同開放状態の斜視図である。
【００２２】
通常のカバン同様に、本発明のカバンも、底部１と、底部の縁部から立ち上がる前後側部２，３と、側部上端にある開閉部４を有する。開閉部にはスライドファスナ５があり、開閉自在である。前後側部２，３には手提げ用に一対の提げ手６，６が一対取り付けられている。
【００２３】
図３に示すように、前後側部がつなぎ合わされるカバンの左右両端９，９においては、カバンの内外生地の隙間を利用して前後側部の上端を跨ぐようにポケット部７，７（図１−３参照）が形成され、このポケット部にはそれぞれバネ８，８が挿入されている。
【００２４】
本発明の特徴は、バネの構造にあり、その詳細を図４に示す。この実施例のバネ８は、頻繁な屈曲に耐えられる板部材８１と、この板部材８１とほぼ等しい幅を有するテープ状又はシート状のゴム紐８２からなり、それぞれの端部８３が縫着されている。このバネの自然状態は図４（ａ）に示すような形状であり、板部材８１は、縦４ｃｍ、横１５ｃｍのプラスチック板であり、テープ状又はシート状のゴム紐８２は、自然状態で縦３ｃｍ、横９ｃｍである。
【００２５】
この状態から、板部材８１を湾曲方向とは逆に折り曲げると（ｂ）の状態を経て、（ｃ）の状態に至る。この状態では、ゴムひも８２に（ａ）に状態に戻ろうとする復元力が加わる。
【００２６】
この（ｃ）の状態のバネを図１，２に示すカバンのポケット部７に収納して、本発明のカバンを完成する。
【００２７】
このカバンは、左右両端の上端において、前後側部を跨ぐようにバネ８が取り付けられているので、カバンの開閉部４が開かれると、バネの復元力により、カバンの開口を自然に拡張しようとする力が働き、開口後はその拡張した開口を保持しようとする力が働く。
【００２８】
しかも、従来の針金バネと異なり、本発明のバネは広幅かつ非金属製なので、バネの末端でバネ収納部を破壊することもない。
【実施例２】
【００２９】
図５は本発明の第２実施例の斜視図である。第１実施例と異なるのは、テープ状又はシート状のバネ８Ａが底部１Ａと前側部２Ａをまたぐ位置及び底部１Ａと後側部３Ａをまたぐ位置にも設けられていることである。その他、第１実施例と同一の部品には、第１実施例の符号に「Ａ」をつけてその説明を省略する。
【００３０】
第２実施例では、底部においても拡張しようとする力とその拡張を保持しようとする力が働くという効果が得られる。なお、開閉部４Ａは、スライダーを２個設けて、中央部で集合離散する形式にすることが好ましい。その方がバネ８Ａによる復元力が左右均等に発揮されやすいからである。
【実施例３】
【００３１】
図６は、本発明の第３実施例の斜視図である。第１実施例と異なるのは、マチ部１０があるカバンであること、テープ状又はシート状のバネ８Ｂが前側部２Ｂとマチ部１０をまたぐ位置及び後側部３Ｂとマチ部をまたぐ位置にも設けられていることである。その他、第１実施例と同一の部品には、第１実施例の符号に「Ｂ」をつけてその説明を省略する。
【００３２】
第３実施例では、前後側部とマチ部においても拡張しようとする力とその拡張を保持しようとする力が働くという効果が得られる。
【実施例４】
【００３３】
図７、８は、本発明の第４実施例に関する。図７はテープ状又はシート状の非金属製バネの実施態様を示し、図８はそのバネを取り付けた状態のカバンの斜視図である。
【００３４】
図７に示すように、第４実施例に係るテープ状又はシート状の非金属製バネ８Ｃは、敷き板１１に対して垂直方向に固定された、２本の湾曲可能な合成樹脂板１２からなる。この合成樹脂板１２としては「ベルポーレン」という商標で知られる発泡ポリエチレン製シートが好ましい。各合成樹脂板１２は幅３ｃｍ、長さ３０ｃｍである。敷き板１１とバネ８Ｃを固定するには、鋲１３で止めたり、接着剤で接着したりすることによる。その他、第１実施例と同一の部品には、第１実施例の符号に「Ｃ」をつけてその説明を省略する。
【００３５】
カバンに取り付けるには、自然状態で図７（ａ）の状態にある合成樹脂板１２に対して力を加えて（ｂ）に示すようにＵ字状に湾曲させてからカバンのポケットに挿入する。合成樹脂板１２の復元力により、底部１Ｃと前後側部において拡張しようとする力とその拡張を保持しようとする力が働くという効果が得られる。なお、開閉部は、スライダーを２個設けて、中央部で集合離散する形式にすることが好ましい。その方が合成樹脂板１２による復元力が左右均等に発揮されやすいからである。
【図面の簡単な説明】
【００３６】
【図１】本発明の１実施例に係るカバンの閉鎖状態斜視図である。
【図２】同開放状態の斜視図である。
【図３】図１の３−３断面図である。
【図４】（ａ）−（ｃ）は、本発明で使用するバネの製造過程を示す過程図である。
【図５】本発明の第２実施例の斜視図である。
【図６】本発明の第３実施例の斜視図である。
【図７】本発明の第４実施例で使用する非金属製バネの斜視図である。（ａ）は力を加えないとき、（ｂ）は力を加えたときである。
【図８】本発明の第４実施例の斜視図である。
【符号の説明】
【００３７】
１     底部
１１   敷き板
１２   合成樹脂板
２，２Ａ，２Ｂ，２Ｃ   前側部
３，３Ａ，３Ｂ，３Ｃ  後側部
４，４Ａ，４Ｂ  開閉部
７，７Ａ，７Ｂ  ポケット部
８，８Ａ，８Ｂ  バネ
９，９Ａ，９Ｂ         左右両端
８１   板部材
８２   テープ状又はシート状ゴム紐
８３   端部
【図１】
0004744363.tif 000002
【図２】
0004744363.tif 000003
【図３】
0004744363.tif 000004
【図４】
0004744363.tif 000005
【図５】
0004744363.tif 000006
【図６】
0004744363.tif 000007
【図７】
0004744363.tif 000008
【図８】
0004744363.tif 000009